(57)【要約】【課題】簡易な構成で、手間なく迅速にリードの断線の有無をチェックすることを可能とする生体情報測定装置用の電極および生体情報測定装置、を提供する。【解決手段】心電計用の外部電極６００Ａは、心電図測定回路を含む心電計本体にリード２００を介して接続され、心電図測定時に被験者の体表面に貼り付けられる。外部電極６００Ａは、シート状の基材６３６と、リード２００に対して着脱可能に設けられた複数の端子部６２１と、心電図測定時に被験者の体表面に接着される複数の導電性ゲル６２６と、導通部６３１とを備える。基材６３６は、複数の領域６３６ｐ，６３６ｑ，６３６ｒに分離可能に設けられている。複数の端子部６２１は、複数の領域６３６ｐ，６３６ｑ，６３６ｒにそれぞれ配置されている。複数の導電性ゲル６２６は、互いに離間して複数の端子部６２１の各々に設けられている。導通部６３１は、複数の端子部６２１の間を電気的に接続する。【選択図】図１４
2010012161.tif 000002
【特許請求の範囲】
【請求項１】
生体情報測定回路を含む装置本体にリードを介して接続され、生体情報測定時に被験者の体表面に貼り付けられる生体情報測定装置用の電極であって、
複数の領域に分離可能に設けられたシート状の基材と、
前記複数の領域にそれぞれ配置され、リードに対して着脱可能に設けられた複数の端子部と、
互いに離間して前記複数の端子部の各々に設けられ、生体情報測定時に被験者の体表面に接着される複数の導電性接着部材と、
前記複数の端子部の間を電気的に接続する導通部とを備える、生体情報測定装置用の電極。
【請求項２】
前記導通部は、前記基材の表面上に膜状に形成され、前記基材の分離可能な位置と重なり合う位置において分離可能に設けられる、請求項１に記載の生体情報測定装置用の電極。
【請求項３】
前記導通部は、前記基材の分離可能な位置と重なり合う位置において、他の位置よりも小さい厚みを有する、請求項２に記載の生体情報測定装置用の電極。
【請求項４】
前記導通部には、前記基材の分離可能な位置と重なり合う位置においてノッチおよびミシン目の少なくともいずれか一方が形成される、請求項２または３に記載の生体情報測定装置用の電極。
【請求項５】
請求項１から４のいずれか１項に記載の生体情報測定装置用の電極と、
生体情報測定回路を含む装置本体と、
生体情報測定時に前記装置本体と前記電極との間を電気的に接続するリードとを備える、生体情報測定装置。
【発明の詳細な説明】
【技術分野】
【０００１】
この発明は、一般的には、生体情報測定装置用の電極および生体情報測定装置に関し、より特定的には、ディスポーザブルタイプ（使い捨て式）の生体情報測定装置用電極、およびその生体情報測定装置用の電極を用いた生体情報測定装置に関する。
【背景技術】
【０００２】
従来の生体情報測定装置用の電極に関して、たとえば、特開２００７−５００３３号公報には、複数の電極を容易かつ迅速に装着可能とすることを目的とした心電図測定用電極が開示されている（特許文献１）。特許文献１に開示された心電図測定用電極においては、複数の領域に分離可能に形成されたシート状の基材の各領域に電極が設けられている。一体時には、複数の電極をまとめて装着することが可能であり、かつ、装着後には、各電極を切り離して再配置することが可能である。
【０００３】
また、実開平５−１０４号公報には、対象物体の所定部位に容易に係合可能とすることを目的とした生医学用電極構造が開示されている（特許文献２）。特許文献２に開示された生医学用電極は、リード線等に係合して、心電図モニタや電気治療装置に電気的に接続されるタブ部分を有する。タブ部分が生医学用電極の外側面からアクセス可能となるように、生医学用電極には開口が形成されている。
【特許文献１】特開２００７−５００３３号公報
【特許文献２】実開平５−１０４号公報
【発明の開示】
【発明が解決しようとする課題】
【０００４】
不整脈や狭心症、心筋梗塞などの虚血性心疾患の診断に、患者の心電図を得るための心電計が利用されている。この心電計において、３点誘導法により心電波形を測定する場合、リードによって心電計本体と接続される３つの電極（正電極、負電極、不関電極）が使用される。このような電極として、上述の特許文献には、使用後に廃棄することを前提としたディスポーザブルタイプの電極が開示されている。
【０００５】
上記の心電計本体および電極間を接続するリードの断線の有無をチェックする方法として、リードの両端間の抵抗値を測定する方法や、リードを心電計本体に接続した状態においてリード間をショートさせ、そのときに測定される波形を確認する方法などが考えられる。しかしながら、これらのチェック方法においては、抵抗測定器や短絡用の治具を別に準備する必要があったり、心電図の記録前に相当程度の手間が生じたりする問題がある。
【０００６】
そこでこの発明の目的は、上記の課題を解決することであり、簡易な構成で、手間なく迅速にリードの断線の有無をチェックすることを可能とする生体情報測定装置用の電極および生体情報測定装置を提供することである。
【課題を解決するための手段】
【０００７】
この発明に従った生体情報測定装置用の電極は、生体情報測定回路を含む装置本体にリードを介して接続され、生体情報測定時に被験者の体表面に貼り付けられる。生体情報測定装置用の電極は、シート状の基材と、リードに対して着脱可能に設けられた複数の端子部と、生体情報測定時に被験者の体表面に接着される複数の導電性接着部材と、導通部とを備える。基材は、複数の領域に分離可能に設けられている。複数の端子部は、基材の複数の領域にそれぞれ配置されている。複数の導電性接着部材は、互いに離間して複数の端子部の各々に設けられている。導通部は、複数の端子部の間を電気的に接続する。
【０００８】
このように構成された生体情報測定装置用の電極によれば、生体情報の測定前、基材が分離されていない状態において各リードを複数の端子部の各々に取り付けることにより、リード同士が導通部を介して短絡した状態となる。これにより、装置本体を用いてリードの断線チェックを行なうことができる。断線チェック後は、基材を複数の領域に分離し、分離された電極を被験者の体表面に貼り付ければ、生体情報の測定を開始することができる。このため、簡易な構成で、手間なく迅速にリードの断線の有無をチェックすることを可能となる。
【０００９】
また好ましくは、導通部は、基材の表面上に膜状に形成されている。導通部は、基材の分離可能な位置と重なり合う位置において分離可能に設けられている。このように構成された生体情報測定装置用の電極によれば、断線チェック後、基材とともに、基材の各領域に設けられた導通部同士を分離することができる。
【００１０】
また好ましくは、導通部は、基材の分離可能な位置と重なり合う位置において、他の位置よりも小さい厚みを有する。このように構成された生体情報測定装置用の電極によれば、断線チェック後、基材とともに、基材の各領域に設けられた導通部同士を容易に分離することができる。
【００１１】
また好ましくは、導通部には、基材が分離可能な位置と重なり合う位置においてノッチまたはミシン目が形成される。このように構成された生体情報測定装置用の電極によれば、断線チェック後、基材とともに、基材の各領域に設けられた導通部同士を容易に分離することができる。
【００１２】
この発明に従った生体情報測定装置は、上述のいずれかに記載の生体情報測定装置用の電極と、生体情報測定回路を含む装置本体と、生体情報測定時に装置本体と電極との間を電気的に接続するリードとを備える。このように構成された生体情報測定装置によれば、生体情報の測定を開始するための一連の準備作業の中で、リードの断線の有無をチェックすることができる。また、リードの断線チェックを行なうために装置本体および電極以外の新たな部品が必要とならないため、生体情報測定装置を簡易な構成にできる。
【発明の効果】
【００１３】
以上説明したように、この発明に従えば、簡易な構成で、手間なく迅速にリードの断線の有無をチェックすることを可能とする生体情報測定装置用の電極および生体情報測定装置を提供することができる。
【発明を実施するための最良の形態】
【００１４】
この発明の実施の形態について、図面を参照して説明する。なお、以下で参照する図面では、同一またはそれに相当する部材には、同じ番号が付されている。
【００１５】
図１および図２は、この発明の実施の形態における心電計の第１の測定態様を示す図である。図３は、この発明の実施の形態における心電計の第２の測定態様を示す図である。
【００１６】
図１から図３を参照して、本実施の形態における心電計５０は、持ち運び可能な携帯型の心電計であり、露出電極１２０が設けられた心電計本体１００と、外部電極６００と、心電計本体１００および外部電極６００間を電気的に接続するリード２００とを有する。心電計５０においては、図１および図２中に示す外部電極６００（負電極６１１、正電極６１２および不関電極６１３）を使用する第１の使用態様と、図３中に示す露出電極１２０（負電極１２１、正電極１２２および不関電極１２３）を使用する第２の使用態様との２通りでの心電図測定が可能である。
【００１７】
第１の測定態様の一例として、図１中には、ＣＭ５誘導に基づく外部電極６００の装着位置が示されており、図２中には、ＣＣ５誘導に基づく外部電極６００の装着位置が示されている。これらＣＭ５誘導およびＣＣ５誘導は、いずれも１２誘導法（胸部誘導）におけるＶ５誘導に類似する誘導である。
【００１８】
外部電極６００は、ディスポーザブルタイプ（使い捨て式）の粘着電極から形成されている。図１中に示すようにＣＭ５誘導により心電波形を測定する場合には、被験者５００の胸部５５０の胸骨上端にあたる皮膚に負電極６１１が貼り付けられ、左側第５肋間前腋窩線上の皮膚に正電極６１２が貼り付けられ、右鎖骨下の外側より１／３程度の部位にあたる皮膚に不関電極６１３が貼り付けられる。また、図２中に示すようにＣＣ５誘導にて心電波形を測定する場合には、被験者５００の右側第５肋間前腋窩線上の皮膚に負電極６１１が貼り付けられ、左側第５肋間前腋窩線上の皮膚に正電極６１２が貼り付けられ、右鎖骨下の外側より１／３程度の部位にあたる皮膚に不関電極６１３が貼り付けられる。
【００１９】
第２の測定態様によって心電図測定を行なう場合、リード２００および外部電極６００が取り外された状態の心電計本体１００が使用される。この場合、図３中に示すように、被験者５００は、心電計本体１００を右手５１０により把持しつつ、被験者５００の胸部５５０に押し当てる。このとき、負電極１２１および不関電極１２３が被験者５００の右手５１０の人差し指５１２に接触し、正電極１２２が被験者５００の胸部５５０に接触した状態となる。これにより、負電極１２１および不関電極１２３に接触した右手５１０、胸部５５０に非接触の前腕５２０、同じく胸部５５０に非接触の上腕５３０、右肩５４０、正電極１２２が押圧された胸部５５０の順で、被験者５００の身体に心電波形を測定するための回路が形成される。
【００２０】
続いて、本実施の形態における心電計５０の構造について説明する。
図４および図５は、心電計本体の外観を示す斜視図である。図４および図５を参照して、まず心電計本体１００の外観構造について説明する。心電計本体１００は、携帯性に優れたものとなるように片手で保持することが可能な大きさおよび重さにまで軽量・小型化されている。心電計本体１００は、扁平かつ細長の略直方体形状の外形を有する。
【００２１】
心電計本体１００の正面１０１には、測定ボタン１４２および表示部１４８が設けられている。測定ボタン１４２は、測定開始を指示するための押しボタンである。表示部１４８は、たとえば液晶ディスプレイなどによって構成され、測定結果などを表示する。
【００２２】
心電計本体１００の上面１０３には、電源ボタン１４１、開閉カバー１３０Ａおよび開閉カバー１３０Ｂが設けられている。電源ボタン１４１は、心電計本体１００のＯＮ／ＯＦＦを操作する操作ボタンである。開閉カバー１３０Ａは、図示しないコネクタ１３１およびコネクタ１３２（図７を参照）を覆い隠すように設けられており、開状態においてこれらのコネクタ１３１，１３２を露出させる。開閉カバー１３０Ｂは、外部メモリ１３４（図８を参照）が装填されるスロットを覆い隠すように設けられており、開状態においてこのスロットを露出させる。
【００２３】
心電計本体１００の下面１０４には、メニューボタン、決定ボタンおよび左右のスクロールボタンから構成される操作ボタン群１４３と、開閉カバー１３０Ｃとが設けられている。開閉カバー１３０Ｃは、電源１６０（図８を参照）としてのバッテリが収容されるバッテリ収容部を覆い隠すように設けられており、開状態においてこのバッテリ収容部を露出させる。
【００２４】
心電計本体１００の右側面１０５には、露出電極１２０の１つである負電極１２１と、同じく露出電極１２０の１つである、身体の電位変化の基準となる電位を導出するための不関電極１２３とが設けられている。心電計本体１００の左側面１０６には、露出電極１２０の１つである正電極１２２が設けられている。負電極１２１、不関電極１２３および正電極１２２は、導電性の部材により形成されている。
【００２５】
図６は、外部電極接続用のリードの外観を示す斜視図である。図７は、図６中のリードが心電計本体に接続される様子を示す斜視図である。図６および図７を参照して、次に、外部電極接続用のリード２００の構造について説明する。
【００２６】
リード２００は、心電計本体１００に着脱自在に接続可能なコネクタ２１０と、コネクタ２１０から引き出された長尺のケーブル２２１〜２２３と、ケーブル２２１〜２２３のそれぞれの先端に設けられたコネクタ２４１〜２４３とを有する。
【００２７】
コネクタ２１０は、心電計本体１００の開閉カバー１３０Ａが開けられた状態で、コネクタ１３１に着脱自在に接続される。コネクタ２４１〜２４３は、外部電極６００の端子部６２１（図１０を参照）に着脱自在に接続される。本実施の形態における心電計５０においては、いわゆる３点誘導法にて心電波形を測定することが企図されているため、正電極、負電極および不関電極の３つに対応すべく３本のケーブル２２１〜２２３を有するリード２００が準備されている。
【００２８】
なお、図７中に示すコネクタ１３２は、心電計本体１００に記録された心電波形をＰＣ（Personal Computer）等の外部端末１３３（図８を参照）に接続する場合に用いられる。
【００２９】
図８は、心電計本体の機能ブロックを示す図である。図８を参照して、次に、心電計本体１００の機能ブロックについて説明する。
【００３０】
心電計本体１００は、操作部１４０および処理回路１５０を有する。操作部１４０は、既に説明した電源ボタン１４１、測定ボタン１４２および操作ボタン群１４３を含んで構成されている。図１および図２中に示す第１の測定態様時、心電計本体１００には、リード２００を介して外部電極６００（負電極６１１、正電極６１２および不関電極６１３）が接続される。
【００３１】
処理回路１５０は、露出電極１２０または外部電極６００によって検知された生体電気信号を心電波形として測定するように処理するための心電図測定回路を内蔵している。
【００３２】
具体的には、処理回路１５０は、露出電極１２０または外部電極６００によって検知された生体電気信号を増幅するアンプ回路１５１と、アンプ回路１５１から出力された信号からノイズ成分を除去するフィルタ回路１５２と、アナログ信号をデジタル信号に変換するＡ／Ｄ（Analog/Digital）コンバータ１５３と、各種演算を行なうＣＰＵ（Central Processing Unit）１５４と、心電情報を記憶するＲＯＭ（Read Only Memory）およびＲＡＭ（Random Access Memory）を有する内部メモリ１５５と、計時動作して計時した時間データをＣＰＵ１５４に出力するタイマ１５６とを有する。
【００３３】
アンプ回路１５１は、不関電極６１３の出力電圧信号に基づき負電極６１１と正電極６１２の出力電圧信号（生体電気信号）を差動増幅して（または、不関電極１２３の出力電圧信号に基づき負電極１２１と正電極１２２の出力電圧信号（生体電気信号）を差動増幅して）出力する。フィルタ回路１５２には、たとえば０．５Ｈｚ〜３５Ｈｚの通過帯域を有するバンドパスフィルタ（Band Pass Filter）が利用される。
【００３４】
処理回路１５０には、表示部１４８および電源１６０が接続されている。また、図７中の開閉カバー１３０Ｂの裏側に設けられたスロットに外部メモリ１３４が挿入された状態においては、この外部メモリ１３４も処理回路１５０に接続される。さらに、図７中のコネクタ１３２に外部端末１３３が接続された状態においては、この外部端末１３３も処理回路１５０に接続される。
【００３５】
ＣＰＵ１５４は、Ａ／Ｄコンバータ１５３から入力されるデジタル信号の解析処理を実行し、また、操作部１４０に含まれる各種操作ボタンからの指令信号を受信し、受信した指令信号に応じた処理を実行する。ＣＰＵ１５４は、内部メモリ１５５への情報の書き込みおよび読み出しを実行し、また、表示部１４８への表示制御を行なう。
【００３６】
図９は、心電計本体の処理フローを示す図である。図８および図９を参照して、次に、心電計本体１００での処理の流れについて説明する。
【００３７】
図９中のフローチャートに示す処理は、予めプログラムとして内部メモリ１５５のＲＯＭ内に格納されており、ＣＰＵ１５４がこのプログラムを読み出して実行することにより、上記処理の実行が行なわれる。
【００３８】
まず、被験者によって電源ボタン１４１が押下されて心電計本体１００に電源が投入されると、機器の動作チェックが行なわれ（ステップＳ１）、次に表示部１４８に測定ガイドが表示される（ステップＳ２）。この測定ガイドの表示としては、たとえば被験者に測定の際にとるべき測定姿勢をガイダンスとして表示するメッセージ等が採用される。
【００３９】
次に、被験者が所定の測定姿勢をとりつつ測定ボタン１４２を押下することにより、心電波形の測定および解析が実行される（ステップＳ３およびステップＳ４）。Ａ／Ｄコンバータ１５３によりデジタル信号化された心電波形は、内部メモリ１５５のＲＡＭ内に一時的に記録される。心電波形の解析とは、デジタル信号化された心電波形より、不整脈や心筋の虚血等を示す形状的特徴の有無、徐脈や頻脈等を示す周期的特徴の有無、ノイズや基線変動等による解析不能な波形の有無等を検出し、検出結果を分析する処理である。なお、心電波形の測定および解析は、公知の手順により行なわれる。
【００４０】
波形解析の結果、得られた心電波形が安定していたか否かの判断が成され（ステップＳ５）、波形が安定していると判断された場合（ステップＳ５においてＹＥＳ）には、ステップＳ６に移行し、表示部１４８において測定波形、心拍数、波形の解析結果に基づくメッセージ等の表示を行なう。ステップＳ６においては、ＣＰＵ１５４が心電波形の解析結果をメッセージに編集し、これを表示部１４８に表示する。この際、メッセージとともに単位時間当たりの心拍数も表示される。心拍数は、心電波形に基づき公知の手順で得ることができる。ステップＳ６の処理が終了すると、ステップＳ７へと移行する。一方、心電波形が安定していないと判断された場合（ステップＳ６においてＮＯ）には、ステップＳ８に移行し、波形の解析が不可であった旨の表示を行なうとともに、測定データを保存するか否かのメッセージを表示する（ステップＳ９）。
【００４１】
ステップＳ９においては、波形の解析が不可であった旨のメッセージに応じて被験者が測定データの保存を選択したか否かが判断され、測定データの保存が選択された場合（ステップＳ９においてＹＥＳ）には、ステップＳ７へと移行する。一方、測定データの破棄が選択された場合（ステップＳ９においてＮＯ）には、ステップＳ１０へと移行する。
【００４２】
ステップＳ７においては、ＣＰＵ１５４が測定データを保存する処理を行なう。すなわち、ＣＰＵ１５４は、タイマ１５６から入力された現在の日時データ、ＲＡＭに一時格納されていた心電波形データおよび解析結果を対応付けて、これらを内部メモリ１５５の所定の記憶領域に格納する。また、ステップＳ１０においては、ＣＰＵ１５４が測定データの破棄を行なう。
【００４３】
以上の一連の処理が心電計本体１００において実施されることにより、心電計本体１００による心電波形の測定および記憶が可能になる。なお、本実施の形態においては、心電計本体１００が、上記ステップＳ７において保存された心電波形の測定結果および解析結果を読出して表示部１４８に表示する機能を備える。
【００４４】
次に、図１および図２中に示す第１の使用態様で用いられる外部電極の構造について詳細に説明する。
【００４５】
図１０は、この発明の実施の形態における外部電極を示す斜視図である。図１１は、図１０中のＸＩ−ＸＩ線上に沿った外部電極の断面図である。図中に示す外部電極６００Ａは、図１および図２中の外部電極６００（負電極６１１、正電極６１２および不関電極６１３）の使用前の状態である。
【００４６】
図１０および図１１を参照して、外部電極６００Ａには、負電極６１１、正電極６１２および不関電極６１３が一体に形成されている。
【００４７】
外部電極６００Ａは、基材６３６を有する。基材６３６は、柔軟性を有する非導電性のシート部材から形成されている。基材６３６は、たとえば樹脂シートから形成されている。基材６３６は、負電極６１１、正電極６１２および不関電極６１３がそれぞれ形成された領域６３６ｐ、領域６３６ｑおよび領域６３６ｒに分離可能に設けられている。基材６３６には、領域６３６ｐと領域６３６ｑとの境界および領域６３６ｑと領域６３６ｒとの境界に沿って延びるミシン目６４２が形成されている。基材６３６をミシン目６４２に沿って分離することにより、外部電極６００Ａから負電極６１１、正電極６１２および不関電極６１３が切り離される。
【００４８】
領域６３６ｐ、領域６３６ｑおよび領域６３６ｒの各領域は、略矩形形状を有する。基材６３６は、領域６３６ｐ、領域６３６ｑおよび領域６３６ｒが一直線上に並ぶように形成されている。このような形状に限られず、基材６３６は、たとえば、領域６３６ｐ、領域６３６ｑおよび領域６３６ｒが三角形の各頂点を中心に配置されるように形成されてもよい。
【００４９】
外部電極６００Ａは、複数の端子部６２１を有する。端子部６２１は、金属から形成されている。端子部６２１は、領域６３６ｐ、領域６３６ｑおよび領域６３６ｒの各領域に設けられている。隣接する領域間で、端子部６２１同士は互いに離間して配置されている。端子部６２１は、基材６３６に固定されている。
【００５０】
基材６３６は、負電極６１１、正電極６１２および不関電極６１３が被験者に貼り付けられた状態で被験者の体表面側に面する裏面６３６ｂと、その反対側に面する表面６３６ａとを有する。基材６３６には、領域６３６ｐ、領域６３６ｑおよび領域６３６ｒの各領域に位置して、表面６３６ａと裏面６３６ｂとの間で貫通する貫通孔６３７が形成されている。端子部６２１は、その貫通孔６３７に挿入された状態で基材６３６に固定されている。端子部６２１は、表面６３６ａから突出し、かつ裏面６３６ｂ側に露出するように設けられている。
【００５１】
端子部６２１は、図６中のリード２００に対して着脱可能なように設けられている。端子部６２１とリード２００のコネクタ２４１〜２４３との接続方法は、特に限定されず、たとえば、クリップを利用した構造や嵌め合わせを利用した構造であってもよい。
【００５２】
外部電極６００Ａは、複数の導電性ゲル６２６を有する。導電性ゲル６２６は、粘着性を有する導電性材料から形成されている。導電性ゲル６２６は、領域６３６ｐ、領域６３６ｑおよび領域６３６ｒに配置された各端子部６２１に設けられている。隣接する領域間で、導電性ゲル６２６同士は互いに離間して設けられている。導電性ゲル６２６は、基材６３６の裏面６３６ｂ上で端子部６２１に接触するように設けられている。心電波形の測定時、導電性ゲル６２６は、被験者の体表面に接着されて、被験者の身体と端子部６２１との間を導通させる。
【００５３】
外部電極６００Ａは、非導電性の接着剤６２７および離系シート６２８を有する。接着剤６２７は、基材６３６の裏面６３６ｂを覆うように設けられている。離系シート６２８は、裏面６３６ｂ上の導電性ゲル６２６および接着剤６２７を覆うように設けられている。離系シート６２８は、外部電極６００Ａが未使用の状態にある時に導電性ゲル６２６を保護するために設けられており、負電極６１１、正電極６１２および不関電極６１３が被験者の体表面に貼り付けられる時に裏面６３６ｂ上から剥がされる。
【００５４】
外部電極６００Ａは、導通部６３１を有する。導通部６３１は、金属、導電性塗料、導電性ペースト、導電性ポリマなどの導電性物質を含む材料から形成されている。導通部６３１は、領域６３６ｐ、領域６３６ｑおよび領域６３６ｒに配置された複数の端子部６２１間を電気的に接続する。
【００５５】
導通部６３１は、基材６３６の表面６３６ａ上に膜状に形成されている。導通部６３１は、表面６３６ａ上において、領域６３６ｐに配置された端子部６２１から領域６３６ｑに配置された端子部６２１に向けて帯状に延び、領域６３６ｑに配置された端子部６２１から領域６３６ｒに配置された端子部６２１に向けて帯状に延びる。導通部６３１は、このような形態に限られず、たとえば、基材６３６の裏面６３６ｂ上で隣接する端子部６２１同士を接続するように形成されてもよい。
【００５６】
図１２は、図１０中の２点鎖線ＸＩＩで囲まれた範囲を拡大して示す斜視図である。図１２を参照して、導通部６３１には、領域６３６ｐと領域６３６ｑとの境界および領域６３６ｑと領域６３６ｒとの境界に沿って延びるミシン目６４３が形成されている。ミシン目６４３は、基材６３６に形成されたミシン目６４２と重なる位置に形成されている。導通部６３１には、導通部６３１の周縁から凹むように設けられたノッチ６４１がさらに形成されている。ノッチ６４１は、ミシン目６４３およびミシン目６４２と導通部６３１の周縁とが交差する位置に形成されている。
【００５７】
このような構成によれば、外部電極６００Ａから負電極６１１、正電極６１２および不関電極６１３を切り離す際に、基材６３６とともに導通部６３１を容易に分離することができる。なお、導通部６３１にミシン目６４３およびノッチ６４１のいずれか一方のみが形成されている場合であっても、同様の効果を得ることができる。
【００５８】
図１３は、図１２中の導通部の変形例を示す斜視図である。図１３を参照して、本変形例では、導通部６３１が、領域６３６ｐと領域６３６ｑとの境界および領域６３６ｑと領域６３６ｒとの境界に沿った位置で、他の位置の厚みＴ２よりも小さい厚みＴ１を有する。このような構成によっても、上述の効果を同様に得ることができる。
【００５９】
図１４は、図６中のリードの断線チェックを行なう工程を示す斜視図である。図１４を参照して、本実施の形態における心電計５０において第１の測定態様により心電図測定を行なう場合、心電計本体１００のコネクタ１３１にリード２００のコネクタ２１０を接続するとともに（図７を参照）、外部電極６００Ａの各端子部６２１にリード２００のコネクタ２４１〜２４３を接続する。このとき、端子部６２１同士は導通部６３１により導通しているため、リード２００のコネクタ２４１〜２４３間が外部電極６００Ａを介して電気的に接続された状態となる。この状態で、心電計本体１００の測定ボタン１４２を押下し、表示部１４８に表示される波形を確認することによってリード２００を構成するケーブル２２１〜２２３の断線の有無をチェックすることが可能になる。
【００６０】
図１５は、ケーブルに断線がない場合の表示部の表示例を示す図である。図１６は、ケーブルに断線がある場合の表示部の表示例を示す図である。
【００６１】
図１５を参照して、ケーブル２２１〜２２３に断線がない場合には、当該測定回路中にオープンの部分が存在しないため、電位差は計測されずに波形１６４が電位差０Ｖで安定することになる。図１６を参照して、一方、ケーブル２２１〜２２３のいずれかに断線がある場合には、当該測定回路中にオープンの部分が存在することになるため、不安定な波形１６４が計測されることになる。
【００６２】
本実施の形態では、このように、負電極６１１、正電極６１２および不関電極６１３に分離する前の外部電極６００Ａを利用してケーブル２２１〜２２３の断線の有無をチェックすることができる。また、断線チェックの後は、外部電極６００Ａから負電極６１１、正電極６１２および不関電極６１３を切り離し、各電極を被験者の体表面の所定位置に貼り付ければ、心電図の測定を開始することができる。このように、本実施の形態では、心電図測定のための一連の準備作業の中で断線チェックが実施されるため、断線チェックに多大な手間が取られるということがない。
【００６３】
この発明の実施の形態における生体情報測定装置用の電極としての心電計用の外部電極６００Ａは、生体情報測定回路としての心電図測定回路を含む装置本体としての心電計本体１００にリード２００を介して接続され、心電図測定時に被験者の体表面に貼り付けられる。外部電極６００Ａは、シート状の基材６３６と、リード２００に対して着脱可能に設けられた複数の端子部６２１と、心電図測定時に被験者の体表面に接着される複数の導電性接着部材としての導電性ゲル６２６と、導通部６３１とを備える。基材６３６は、複数の領域６３６ｐ，６３６ｑ，６３６ｒに分離可能に設けられている。複数の端子部６２１は、複数の領域６３６ｐ，６３６ｑ，６３６ｒにそれぞれ配置されている。複数の導電性ゲル６２６は、互いに離間して複数の端子部６２１の各々に設けられている。導通部６３１は、複数の端子部６２１の間を電気的に接続する。
【００６４】
この発明の実施の形態における生体情報測定装置としての心電計５０は、外部電極６００Ａ（６００）と、心電図測定回路を含む心電計本体１００と、心電図測定時に心電計本体１００と外部電極６００Ａ（６００）との間を電気的に接続するリード２００とを備える。
【００６５】
このように構成された、この発明の実施の形態における外部電極６００Ａおよびこの外部電極６００Ａを用いた心電計５０によれば、簡易な構成で、手間なく迅速にリード２００の断線チェックを行なうことができる。
【００６６】
なお、本実施の形態では、生体情報測定装置として心電計を例に挙げて説明を行なったが、本発明はこれに限定されるものではない。心電計以外に、たとえば脳波計や筋電計、体組成計（体脂肪計や内蔵脂肪計など）にも、本発明を適用することができる。一方、心電計は、他の機器と比べて測定の確実性や迅速性の確保が強く求められるため、本発明は心電計により好適に適用される。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】この発明の実施の形態における心電計の第１の測定態様を示す図である。
【図２】この発明の実施の形態における心電計の第１の測定態様を示す別の図である。
【図３】この発明の実施の形態における心電計の第２の測定態様を示す図である。
【図４】心電計本体の外観を示す斜視図である。
【図５】心電計本体の外観を示す別の斜視図である。
【図６】外部電極接続用のリードの外観を示す斜視図である。
【図７】図６中のリードが心電計本体に接続される様子を示す斜視図である。
【図８】心電計本体の機能ブロックを示す図である。
【図９】心電計本体の処理フローを示す図である。
【図１０】この発明の実施の形態における外部電極を示す斜視図である。
【図１１】図１０中のＸＩ−ＸＩ線上に沿った外部電極の断面図である。
【図１２】図１０中の２点鎖線ＸＩＩで囲まれた範囲を拡大して示す斜視図である。
【図１３】図１２中の導通部の変形例を示す斜視図である。
【図１４】図６中のリードの断線チェックを行なう工程を示す斜視図である。
【図１５】ケーブルに断線がない場合の表示部の表示例を示す図である。
【図１６】ケーブルに断線がある場合の表示部の表示例を示す図である。
【符号の説明】
【００６９】
５０  心電計、１００  心電計本体、２００  リード、６００，６００Ａ  外部電極、６２１  端子部、６２６  導電性ゲル、６３１  導通部、６３６  基材、６３６ａ  表面、６３６ｐ，６３６ｑ，６３６ｒ  領域、６４１  ノッチ、６４３  ミシン目。
【図１】
2010012161.tif 000003
【図２】
2010012161.tif 000004
【図３】
2010012161.tif 000005
【図４】
2010012161.tif 000006
【図５】
2010012161.tif 000007
【図６】
2010012161.tif 000008
【図７】
2010012161.tif 000009
【図８】
2010012161.tif 000010
【図９】
2010012161.tif 000011
【図１０】
2010012161.tif 000012
【図１１】
2010012161.tif 000013
【図１２】
2010012161.tif 000014
【図１３】
2010012161.tif 000015
【図１４】
2010012161.tif 000016
【図１５】
2010012161.tif 000017
【図１６】
2010012161.tif 000018